【手続補正書】
【提出日】平成14年6月6日(2002.6.6)
【手続補正１】
【補正対象書類名】明細書
【補正対象項目名】特許請求の範囲
【補正方法】変更
【補正の内容】
【特許請求の範囲】
【請求項１】
楽譜を表示デバイス上に表示するためのプログラムを有するコンピュータ・デバイスであって、指揮者の指示の元でオーケストラの複数の演奏者のそれぞれに使用される複数のコンピュータ・デバイスのネットワーク中において、オーケストラの指揮を容易にする方法であって、
各演奏者によって使用される楽器と、演奏者によって使用される対応コンピュータ・デバイスとの識別を登録する段階と、
指揮者によって使用されるコンピュータ・デバイスにおいて、音楽編曲に対する手書きフォーマットで表された変更を受け取る段階であって、指揮者のコンピュータ・デバイスが、変更を手書きフォーマットから電子的な音楽タイプ・フォーマットに変換する手段を有している段階と、
前記変更をオーケストラのすべての演奏者に送信するか、または変更の影響を受ける楽器を使用する１人または複数の演奏者だけに送信するかを、指揮者が選択できるようにする段階と、
前記変更の影響を受ける楽器を使用する演奏者だけに変更を送信することを指揮者が選択した場合は、どの楽器が変更の影響を受けるかを決定し、その楽器に対して登録された対応コンピュータ・デバイスを識別する段階と、
前記変更を１人または複数の演奏者に送信する前に、電子的な音楽タイプ・フォーマットに変換すべきかどうかを指揮者が選択できるようにする段階と、
指揮者の選択に従って、変更を１人または複数の演奏者に送信する段階と、を含むオーケストラの指揮を容易にする方法。
【請求項２】
前記指揮者の変更を受け取る段階が、タッチ・スクリーン表示デバイスを介して変更を受け取る段階を含む、請求項１に記載のオーケストラの指揮を容易にする方法。
【請求項３】
前記指揮者の変更を受け取る段階が、ディジタイザおよび電子スタイラスを介して変更を受け取る段階を含む、請求項１に記載のオーケストラの指揮を容易にする方法。
【請求項４】
前記変更を、受け取られた手書きフォーマットで、指揮者のコンピュータ・デバイス上に表示する段階を含む、請求項１に記載のオーケストラの指揮を容易にする方法。
【請求項５】
前記変更を、受け取られた手書きフォーマットで、前記変更が送信される演奏者のコンピュータ・デバイス上に表示する段階を含む、請求項４に記載のオーケストラの指揮を容易にする方法。
【請求項６】
前記変更を、各演奏者のコンピュータ・デバイス上に表示するために、受け取られた手書きフォーマットから電子フォーマットに変換する段階を含む、請求項５に記載のオーケストラの指揮を容易にする方法。
【請求項７】
音楽作曲オーケストレーション・システム用のグラフィカル・ユーザ・インタフェース・システムであって、
表示デバイス上に表示された楽譜に対する変更を指揮者が手書きフォーマットで電子的に入力できるようにする手段と、
入力した変更をオーケストラの複数の演奏者すべてに送信するか、変更の影響を受ける楽器を演奏する１人または複数の演奏者だけに送信するかを、指揮者が選択できるようにする手段と、
入力された変更の影響をどの１人または複数の演奏者が受けるかを決定する手段と、
手書きの変更を演奏者に送信する前に、変更を音楽タイプ・フォーマットに変換するかどうかを指揮者が選択できるようにする手段と、
指揮者の選択に従って前記変更を演奏者に送信する手段と、を有するグラフィカル・ユーザ・インタフェース・システム。
【請求項８】
コンピュータ・キーボードに動作可能に結合された音楽キーボードを有する、請求項７に記載のグラフィカル・ユーザ・インタフェース・システム。
【請求項９】
コンピュータ入力キーボードと、
コンピュータ入力キーボードに可動式に結合された音楽キーボードと、
コンピュータ入力キーボードと音楽キーボードとをコンピュータ・デバイスに接続する手段と、を有する装置。
【請求項１０】
前記コンピュータ入力キーボードが、該入力キーボードの一方の側部に沿ってそれぞれ延びる平行な２本のトラックを備え、該平行なトラックが、音楽キーボードを露出するように完全に延びた第１の位置と、コンピュータ入力キーボード内に引き込まれた第２の位置との間でトラック内をスライドする手段を備える、請求項９に記載の装置。
【請求項１１】
コンピュータ入力キーボードが、キーボードに取り付けられた１つまたは複数のヒンジを備え、該ヒンジが、前記音楽キーボードのために広げられた第１の位置と、コンピュータ入力キーボードの上部に折り畳まれた第２の位置との間で、音楽キーボードとコンピュータ・キーボードとを折り重ねる手段を備える、請求項９に記載の装置。
【請求項１２】
前記音楽キーボードが、
中央キーボード・セグメントと、
２つの側部キーボード・セグメントとを含み、
該２つの側部キーボード・セグメントは、２つのヒンジで中央キーボード・セグメントに取り付けられており、該ヒンジは、前記音楽キーボードのキーと平行に延び、かつキーボードの２つの側部セグメントを中央キーボード・セグメントの上部に折り畳む手段を含んでおり、
それにより、折り畳まれた位置にあるキーボードが、開いたときのキーボードよりも狭くなっていることを特徴とする、請求項９に記載の装置。
【請求項１３】
それぞれが楽譜を表示デバイス上に表示するためのプログラムを含んでいるコンピュータ・デバイスであって、指揮者の指示の元のオーケストラの複数の演奏者によって使用されるコンピュータ・デバイスのネットワークにおいてオーケストラを指揮するのを容易にする方法であって、
指揮者によって使用されるコンピュータ・デバイスで、音楽編曲に対する手書きフォーマットで表された変更を受け取る段階であって、指揮者のコンピュータ・デバイスが、前記変更を手書きフォーマットから電子的な音楽タイプ・フォーマットに変換する手段を備えている段階と、
前記変更を少なくとも１人または複数の演奏者に送信する前に、電子的な音楽タイプ・フォーマットに変換すべきかどうかを指揮者が選択できるようにする段階と、
指揮者の選択に従って、前記変更を少なくとも１人の演奏者に送信する段階と、を含むオーケストラの指揮を容易にする方法。
【請求項１４】
前記指揮者の変更を受け取る段階が、タッチ・スクリーン表示デバイスを介して前記変更を受け取る段階を含む、請求項１３に記載のオーケストラの指揮を容易にする方法。
【請求項１５】
前記指揮者の変更を受け取る段階が、ディジタイザおよび電子スタイラスを介して前記変更を受け取る段階を含む、請求項１３に記載のオーケストラの指揮を容易にする方法。
【請求項１６】
前記変更を、受け取られた手書きのフォーマットで、指揮者のコンピュータ・デバイス上に表示する段階を含む、請求項１３に記載のオーケストラの指揮を容易にする方法。
【請求項１７】
前記変更を、受け取られた手書きのフォーマットで、前記変更が送信された演奏者のコンピュータ・デバイス上に表示する段階を含む、請求項１３に記載のオーケストラの指揮を容易にする方法。
【請求項１８】
前記変更を、送信された演奏者のコンピュータ・デバイス上に表示するために、受け取られた手書きのフォーマットから電子フォーマットに変換する段階を含む、請求項１３に記載のオーケストラの指揮を容易にする方法。
【請求項１９】
コンピュータ・キーボードに動作可能に結合された音楽キーボードを有する指揮者のコンピュータ・デバイス上に、前記変更を表示する段階を含む、請求項１３に記載のオーケストラの指揮を容易にする方法。
【請求項２０】
コンピュータ・キーボードに動作可能に結合された音楽キーボードを有する少なくとも１人の演奏者のコンピュータ・デバイス上に、前記変更を表示する段階を含む、請求項１３に記載のオーケストラの指揮を容易にする方法。
【請求項２１】
音楽作曲オーケストレーション・システム用のグラフィカル・ユーザ・インタフェース・システムであって、
指揮者の表示デバイス上に表示された楽譜に対する変更を指揮者が手書きフォーマットで電子的に入力できるようにする手段と、
前記変更を少なくとも１人の演奏者に送信する前に、手書きの変更を音楽タイプ・フォーマットに変換するかどうかを指揮者が選択できるようにする手段と、
指揮者の選択に従って前記変更を少なくとも１人の演奏者に送信する手段とを備えるグラフィカル・ユーザ・インタフェース・システム。
【請求項２２】
前記指揮者の表示デバイスが、コンピュータ・キーボードに動作可能に結合された音楽キーボードを備えている、請求項２１に記載のグラフィカル・ユーザ・インタフェース・システム。
【請求項２３】
少なくとも１人の演奏者の表示デバイスに変更を表示する手段を備え、少なくとも１人の演奏者の表示デバイスが、コンピュータ・キーボードに動作可能に結合された音楽キーボードを備えている、請求項２１に記載のグラフィカル・ユーザ・インタフェース・システム。
【請求項２４】
コンピュータ化された楽譜表示デバイスのネットワークにおいて、音楽作品に対する変更をネットワークの第１のコンピュータ化楽譜表示デバイスからネットワークの他の１つまたは複数のコンピュータ化楽譜表示デバイスに通信するのを容易にする方法であって、前記他のコンピュータ化楽譜表示デバイスの１つまたは複数が、オーケストラの１人または複数の演奏者に使用される通信容易化方法において、
第１のコンピュータ化楽譜表示デバイスを使用する指揮者が音楽作品の一部に対する変更を入力できるようにする段階と、
少なくとも２つの異なる表示フォーマットのうち、音楽作品の変更部分を他の１つまたは複数のコンピュータ化楽譜表示デバイスに送信する際に使用する第１の表示フォーマットを、指揮者が少なくとも２つの異なる表示フォーマットから選択できるようにする段階と、
音楽作品の変更部分を、選択された第１の表示フォーマットで表示されるように他の１つまたは複数のコンピュータ化楽譜表示デバイスに送信する段階と、を含む通信容易化方法。
【請求項２５】
前記第１の表示フォーマットが手書きの変更を表示するものである、請求項２４に記載の通信容易化方法。
【請求項２６】
前記指揮者が変更を入力できるようにする段階が、音楽作品の少なくとも一部を表示する第１のコンピュータ化楽譜表示デバイスを有している、請求項２４に記載の通信容易化方法。
【請求項２７】
前記指揮者が変更を入力できるようにする段階は、指揮者がタッチ・スクリーン表示デバイスを介して変更を入力できるようにする段階を含んでいる、請求項２６に記載の通信容易化方法。
【請求項２８】
前記指揮者が変更を入力できるようにする段階は、指揮者がディジタイザおよび電子スタイラスを介して変更を入力できるようにする段階を含んでいる、請求項２６に記載の通信容易化方法。
【請求項２９】
前記指揮者が変更を入力できるようにする段階が、音楽キーボード、英数字キーボード、一体型の音楽／英数字キーボードのうちの少なくとも１つを介して指揮者が変更を入力できるようにする段階を含んでいる、請求項２６に記載の通信容易化方法。
【請求項３０】
変更部分を第１のコンピュータ化楽譜表示デバイス上に表示する段階を含む、請求項２６に記載の通信容易化方法。
【請求項３１】
第１の表示フォーマットが手書きフォーマットであり、音楽作品の変更部分を、選択された第１の表示フォーマットで表示されるように他の１つまたは複数のコンピュータ化楽譜表示デバイスに送信する段階が、音楽作品の変更部分を手書きフォーマットで表示されるように他の１つまたは複数のコンピュータ化楽譜表示デバイスに送信する段階を含む、請求項２４に記載の通信容易化方法。
【請求項３２】
第１の表示フォーマットが電子タイプ・フォーマットであり、音楽作品の変更部分を、選択された第１の表示フォーマットで表示されるように他の１つまたは複数のコンピュータ化楽譜表示デバイスに送信する段階が、音楽作品の変更部分を電子タイプ・フォーマットで表示されるように他の１つまたは複数のコンピュータ化楽譜表示デバイスに送信する段階を含む、請求項２４に記載の通信容易化方法。
【請求項３３】
変更部分を他の１つまたは複数のコンピュータ化楽譜表示デバイスに送信する際に使用する第１の表示フォーマットを指揮者が選択できるようにする段階が、他の１つまたは複数のコンピュータ化楽譜表示デバイスのうちの少なくとも１つを、指揮者によって作動可能な複数のボタンのうちの少なくとも１つに指揮者が割り当てることができるようにする段階を含む、請求項２４に記載の通信容易化方法。
【請求項３４】
指揮者によって作動可能なボタンのうちの１つを作動させる段階が、他の１つまたは複数のコンピュータ化楽譜表示デバイスの中の単一のデバイス、複数のデバイス、およびすべてのデバイス、のうちの少なくとも１つに変更部分を送信する、請求項３３に記載の通信容易化方法。
【請求項３５】
変更部分を他の１つまたは複数のコンピュータ化楽譜表示デバイスに送信する段階が、１つまたは複数のコンピュータ化楽譜表示デバイスのうち指揮者によって識別される少なくとも１つに変更部分を送信する段階を含む、請求項２４に記載の通信容易化方法。
【請求項３６】
他の１つまたは複数のコンピュータ化楽譜表示デバイスが、選択された第１の表示フォーマットで変更部分を表示する、請求項２４に記載の通信容易化方法。
【請求項３７】
変更を少なくとも一時的に記録する段階をさらに含む、請求項２４に記載の通信容易化方法。
【請求項３８】
磁気媒体の取外し可能記録デバイスと光学媒体の取外し可能記録デバイスとのうちの少なくとも１つを含む取外し可能媒体記憶デバイスを使用して、変更を記録する段階を含む、請求項３７に記載の通信容易化方法。
【請求項３９】
少なくとも２つの異なる表示フォーマットが２つの表示フォーマットからなり、少なくとも２つの異なる表示フォーマットから第１の表示フォーマットを指揮者が選択できるようにする段階が、２つの表示フォーマットから第１の表示フォーマットを指揮者が選択できるようにする段階を含む、請求項２４に記載の通信容易化方法。
【請求項４０】
少なくとも２つの異なる表示フォーマットが手書きフォーマットおよび電子タイプ・フォーマットからなり、少なくとも２つの異なる表示フォーマットから第１の表示フォーマットを指揮者が選択できるようにする段階が、手書きフォーマットおよび電子タイプ・フォーマットから第１の表示フォーマットを指揮者が選択できるようにする段階を含む、請求項２４に記載の通信容易化方法。
【請求項４１】
プログラム・コードが記憶された、コンピュータによって使用可能な媒体であって、コンピュータ・デバイス上で実行されたときに、コンピュータ化楽譜表示デバイスのネットワークにおいて音楽作品に対する変更をネットワークの第１のコンピュータ化楽譜表示デバイスからネットワークの他の１つまたは複数のコンピュータ化楽譜表示デバイスに通信するのを容易にする方法をコンピュータ・デバイスに実行させるようになっており、前記他の１つまたは複数のコンピュータ化楽譜表示デバイスは、オーケストラの１人または複数の演奏者によって使用されるコンピュータ使用可能媒体において、
前記通信容易化方法が、
第１のコンピュータ化楽譜表示デバイスを使用する指揮者が音楽作品の一部に対する変更を入力できるようにする段階と、
少なくとも２つの異なる表示フォーマットのうち、音楽作品の変更部分を他の１つまたは複数のコンピュータ化楽譜表示デバイスに送信する際に使用する第１の表示フォーマットを、指揮者が選択できるようにする段階と、
音楽作品の変更部分を、選択された第１の表示フォーマットで表示されるように他の１つまたは複数のコンピュータ化楽譜表示デバイスに送信する段階と、を含んでいるコンピュータ使用可能媒体。
【請求項４２】
前記指揮者が変更を入力できるようにする段階が、音楽作品の少なくとも一部を表示する第１のコンピュータ化楽譜表示デバイスを含む、請求項４１に記載のコンピュータ使用可能媒体。
【請求項４３】
前記通信容易化方法が、前記変更部分を第１のコンピュータ化楽譜表示デバイス上に表示する段階を含む、請求項４１に記載のコンピュータ使用可能媒体。
【請求項４４】
前記通信容易化方法が、磁気媒体の取外し可能記録デバイスと光学媒体の取外し可能記録デバイスとのうちの少なくとも１つを含む取外し可能媒体記憶デバイスを使用して、変更を記録する段階を含む、請求項４１に記載のコンピュータ使用可能媒体。
【請求項４５】
少なくとも２つの異なる表示フォーマットが２つの表示フォーマットからなり、少なくとも２つの異なる表示フォーマットから第１の表示フォーマットを指揮者が選択できるようにする段階が、２つの表示フォーマットから第１の表示フォーマットを指揮者が選択できるようにする段階を含む、請求項４１に記載のコンピュータ使用可能媒体。
【請求項４６】
少なくとも２つの異なる表示フォーマットが手書きフォーマットおよび電子タイプ・フォーマットからなり、少なくとも２つの異なる表示フォーマットから第１の表示フォーマットを指揮者が選択できるようにする段階が、手書きフォーマットおよび電子タイプ・フォーマットから第１の表示フォーマットを指揮者が選択できるようにする段階を含む、請求項４１に記載のコンピュータ使用可能媒体。